【事件の表示】
　特願２００８−　９２０５９「ポインタ表示装置、ポインタ表示検出方法、ポインタ表示検出プログラム及び情報機器」拒絶査定不服審判事件〔平成２１年１０月２２日出願公開、特開２００９−２４５２３９〕について、次のとおり審決する。
【結　論】
　本件審判の請求は、成り立たない。
【理　由】
１　手続の経緯 ・本願発明
　本願は，平成２０年３月３１日の出願であって，平成２２年２月１８日付けで拒絶の理由が通知され、同年４月１４日に手続補正書が提出され、平成２３年３月９日付けで拒絶査定がなされ、それに対して、同年６月９日に、審判請求がなされるとともに、手続補正書が提出されたものである。
　そして、その請求項１に係る発明は，平成２３年６月９日に提出された手続補正書の特許請求の範囲の請求項１に記載された次のとおりのものと認める。（以下「本願発明」という。） 
　「表示手段の表示画面上に設けられたタッチパネルと、
　上記タッチパネルに対するタッチ操作の接触点を検出し、当該接触点に対する指先を囲む所定径の円形状領域を設定し、その円形状領域に対して尖鋭形状の先端部が一体的に融合されたポインタを生成して表示するポインタ表示手段と、
　上記ポインタの上記先端部に対応する位置を指示位置として検出する指示位置検出手段と、
　上記ポインタが上記表示画面上の端部に位置していることを認識したとき、上記表示画面に対する表示内容を上記ポインタの位置に応じて移動表示する画面制御手段と
　を具えるポインタ表示装置。」
　
２　引用刊行物記載の発明
　これに対して，原査定の拒絶の理由に引用された，本願の出願の日前である平成１０年１０月２３日に頒布された「特開平１０−２８３１１５号公報 」（以下「引用例」という。）には，次の事項が記載されている。
　
　(1)　「【０００２】
【従来の技術】近年、情報の入出力操作を誰でも簡易に行なうための手段として、
タッチパネルを用い表示面と入力面とを同一軸上に重ねた表示入力装置
　(2)　「０００６】
【発明が解決しようとする課題】しかしながら、図７のように
選択したいボタンが小さく、しかも隣接して他のボタンが存在する場合には、利用者の指が図８のように指示部のボタンを覆い隠し、希望のボタンを指示できたかどうか判別し難く、指示間違いを起こしやすいという問題点を有していた
【０００７】本発明は上記問題点に鑑み、微細な個所での精密な入力を可能とし、作業効率を向上させる表示入力装置を提供するものである。
【０００８】
【課題を解決するための手段】上記問題点を解決するために本発明の表示入力装置は、
入力指示表示部を入力対象座標を指示する指示部と指示部の移動操作を行なう保持部とを離れた場所に設けたカーソルによって表示するようにしたもので
　(3)　「【００１４】図１は本発明の一実施形態を示すものである。図１において、１は表示面、２は入力面、３は制御部、４は保持部である。図２は保持部近辺を拡大したものである。図２において、５は指示部、６は操舵部、７は右入力選択部、８は左入力選択部である。
【００１５】以上のように構成された表示入力装置について、その入力操作について説明する。
入力面２を指やペンで指示すると、制御部３がその接触点の座標を求め、表示面１の同一座標に保持部４を表示する。同時にその周囲に指示部５、操舵部６、右入力選択部７、左入力選択部８を表示する
【００１６】図３は複数のボタンから選択したいボタンのみを指示している様子である。指示部が保持部と独立しているために指で隠れることがなく、利用者は選択すべき位置に指示部があるかどうか確認することができる。」
　(4)　「【００１８】保持部４と操舵部６を操作することによって
指示部５を希望するボタンに位置させた後、右入力選択部７または左入力選択部８を指示すると指示部５に対応した命令がコンピューターに入力され
　(5)　図２、図３には、保持部４は、指先を囲む円形状の形状であり、指示部５は、保持部４から突出した矢印状の形状であるカーソルが示されている。
　
　
　この記載事項によると，引用例には，タッチパネルを用い表示面と入力面とを同一軸上に重ねた表示入力装置において、選択したいボタンが小さく、しかも隣接して他のボタンが存在する場合には、利用者の指が指示部のボタンを覆い隠し、希望のボタンを指示できたかどうか判別し難く、指示間違いを起こしやすいという問題点を解決するための、
「タッチパネルを用い表示面と入力面とを同一軸上に重ねた表示入力装置において、
　入力指示表示部を入力対象座標を指示する指示部と指示部の移動操作を行なう保持部とを離れた場所に設けたカーソルによって表示するようにしたもので、
　入力面２を指やペンで指示すると、制御部３がその接触点の座標を求め、表示面１の同一座標に保持部４を表示し、同時にその周囲に指示部５、操舵部６、右入力選択部７、左入力選択部８を表示し、
　指示部５を希望するボタンに位置させた後、右入力選択部７または左入力選択部８を指示すると指示部５に対応した命令がコンピューターに入力されるもので、
　保持部４は、指先を囲む円形状の形状であり、指示部５は、保持部４から突出した矢印状の形状であるカーソルである、
表示入力装置」
の発明（以下，「引用発明」という。）が記載されていると認められる。
　
３　対比
　本願発明と引用発明を対比すると，
　(1)　引用発明の「タッチパネル」は、「表示面と入力面とを同一軸上に重ねた表示入力装置」を構成しており、本願発明の「表示手段の表示画面上に設けられたタッチパネル」に相当する。
　(2)　引用発明の「カーソル」は、本願発明の「ポインタ」に相当し、
　また、引用発明は、「入力面２を指やペンで指示すると、制御部３がその接触点の座標を求め、表示面１の同一座標に保持部４を表示し」、「保持部４」の「周囲に指示部５」が表示され、保持部４は、指先を囲む円形状の形状であり、指示部５は、保持部４から突出した矢印状の形状であることから、本願発明の「上記タッチパネルに対するタッチ操作の接触点を検出し、当該接触点に対する指先を囲む所定径の円形状領域を設定し、その円形状領域に対して尖鋭形状の先端部が一体的に融合されたポインタを生成して表示するポインタ表示手段」と引用発明の構成は、タッチパネルに対するタッチ操作の接触点を検出し、当該接触点に対する指先を囲む所定径の円形状領域を設定し、その円形状領域に対して尖鋭形状の先端部が接続されたポインタを生成して表示するポインタ表示手段を備える点で、共通している。
　(3)　引用発明の「指示部５を希望するボタンに位置させた後、右入力選択部７または左入力選択部８を指示すると指示部５に対応した命令がコンピューターに入力される」ことから、引用発明は、本願発明の「ポインタの上記先端部に対応する位置を指示位置として検出する指示位置検出手段」を備えるものである。
　
したがって、両者は、以下の一致点で一致し、以下の相違点で相違する。
（一致点）
　表示手段の表示画面上に設けられたタッチパネルと、
　上記タッチパネルに対するタッチ操作の接触点を検出し、当該接触点に対する指先を囲む所定径の円形状領域を設定し、その円形状領域に対して尖鋭形状の先端部が接続されたポインタを生成して表示するポインタ表示手段と、
　上記ポインタの上記先端部に対応する位置を指示位置として検出する指示位置検出手段と、
　を具えるポインタ表示装置。
（相違点１）
　本願発明の「ポインタ」は、「円形状領域に対して尖鋭形状の先端部が一体的に融合されたポインタ」であるのに対し、引用発明は、そうではない点。
（相違点２）
　本願発明は、「上記ポインタが上記表示画面上の端部に位置していることを認識したとき、上記表示画面に対する表示内容を上記ポインタの位置に応じて移動表示する画面制御手段」を備えるのに対し、引用発明は、このような手段は備えていない点。
　
４　当審の判断
　上記相違点について検討すると， 
（相違点１についての検討）
　引用発明のポインタも、本願発明と同様に、指示位置である尖鋭形状の先端部と、指先を囲む所定径の円形状領域から構成されており、機能的には、引用発明のポインタと本願発明のポインタは同じ機能を有するものであり、
　また、引用例にも記載（「【００２０】なお、本実施形態では保持部４、入力選択部７、８の形状と位置関係についての一例を示したが、それらが指示部５と独立していれば、形状と位置関係は任意であって良い。」）されているように、ポインタの形状は、適宜定める設計的事項と認められるので、引用発明において、ポインタの形状を相違点１に係る構成とすることは、当業者が容易になし得るものである。
　
（相違点２についての検討）
　ポインタが表示画面上の端部に位置しているときに、表示画面に対する表示内容をポインタの位置に応じて移動表示させることは、本願出願日前に周知技術（特開２０００−２０７０９４号公報の【０００８】及び図１６、特開２００３−１１４７５０号公報の【００１２】等の記載。）であり、引用発明において、ポインタが端部にある場合に、ポインタによる指示をし易くするため、当該周知技術を採用し、相違点２に係る構成とすることは、当業者が容易になし得るものである。
　
　そして、本願発明が奏する作用、効果についてみても、引用発明及び周知の技術から当業者が予想できる程度のものである。
　
５　むすび
　したがって，本願発明は，引用例に記載された発明及び周知技術に基づいて当業者が容易に発明をすることができたものであるから，特許法２９条２項の規定により特許を受けることができない。
　よって，結論のとおり審決する。